(57)【要約】      （修正有）【課題】画質の劣化が抑制された画像形成装置を提供する。【解決手段】回転する像担持体の表面に光ビームを照射することにより静電潜像を形成し、静電潜像をトナーで現像してトナー像を形成し、トナー像を最終的に記録媒体に転写および定着することにより該記録媒体上に定着トナー像からなる画像を形成する画像形成装置において、像担持体に近接した位置に配列され像担持体に向けて光ビームを出射する複数の光源と複数の光源から出射された光ビームを像担持体に集光する集光光学系とを具備する露光器と、像担持体上に形成された静電潜像をトナーで現像する現像器とを備え、現像器の現像ロールが、現像領域において像担持体が移動する方向とは逆の方向に移動する向きに回転するものである。【選択図】図２
2005077493.tif 000002
【特許請求の範囲】
【請求項１】
回転する像担持体の表面に光ビームを照射することにより静電潜像を形成し、該静電潜像をトナーで現像してトナー像を形成し、該トナー像を最終的に記録媒体に転写および定着することにより該記録媒体上に定着トナー像からなる画像を形成する画像形成装置において、
前記像担持体に近接した位置に配列され該像担持体に向けて光ビームを出射する複数の光源と該複数の光源から出射された光ビームを前記像担持体に集光する集光光学系とを具備する露光器と、
前記像担持体上に形成された静電潜像をトナーで現像する現像器とを備え、
該現像器が、
前記像担持体に近接して配備され、トナーを担持しながら回転し該トナーを該像担持体との間に形成された現像領域に搬送することにより該像担持体上に形成された前記静電潜像を該トナーで現像する現像ロールを備えた現像器であって、
該現像ロールが、前記現像領域において前記像担持体が移動する方向とは逆の方向に移動する向きに回転するものであることを特徴とする画像形成装置。
【請求項２】
前記露光器が、前記光源を内蔵すると共に前記集光光学系を支持する支持部材を備えたものであって、
該支持部材が、該支持部材の前記像担持体と対向する面の、該像担持体移動方向上流側と下流側との双方に立設し前記現像領域近傍に浮遊する浮遊物が前記集光光学系に付着することを防御する防御壁を備えたものであることを特徴とする請求項１記載の画像形成装置。
【請求項３】
前記現像ロールが、前記像担持体の周速度よりも速い周速度をもって回転するものであることを特徴とする請求項１記載の画像形成装置。
【請求項４】
前記現像ロールが、前記トナーと磁性キャリアとから成る現像剤を担持し、前記像担持体上の静電潜像を該現像剤中のトナーで現像するものであることを特徴とする請求項１記載の画像形成装置。
【請求項５】
前記トナーが、重合法で生成されたものであることを特徴とする請求項１記載の画像形成装置。
【請求項６】
前記光源が、発光ダイオードであることを特徴とする請求項１記載の画像形成装置。
【請求項７】
前記露光器が、前記像担持体よりも下方に位置することを特徴する請求項１記載の画像形成装置。
【発明の詳細な説明】
【技術分野】
【０００１】
本発明は、回転する像担持体の表面に光ビームを照射することにより静電潜像を形成し、該静電潜像をトナーで現像してトナー像を形成し、該トナー像を最終的に記録媒体に転写および定着することにより該記録媒体上に定着トナー像からなる画像を形成する画像形成装置に関する。
【背景技術】
【０００２】
従来より、複写機やプリンタなどの画像形成装置には、電子写真方式を採用するものがある。
【０００３】
この電子写真方式は、例えば、帯電させた感光体ロールの表面に、画像データに応じた露光によって作成した静電潜像を現像器によってトナー現像し、これによるトナー像を最終的に記録用紙に転写し定着させることで画像を形成する方式である。
【０００４】
上記のような画像形成装置に採用されている現像器は、感光体ロールの近傍に配置した現像ロール上にトナーと磁性キャリアとからなる現像剤を保持しながら感光体ロールと現像ロールとの対向部分に形成された現像領域にこの現像剤を搬送することで感光体ロール上の静電潜像の現像を行なっている。
【０００５】
上記のような現像器において用いられる現像剤は、主にトナーと磁性キャリアとが所定の割合で混合されたものが用いられており、これにより、現像剤の中のトナーは所定の電荷量に帯電され、感光体ロール上の静電潜像に応じたトナー現像が行なわれる。
【０００６】
ところで、最近では、画像形成装置にも小型化が求められていることから、感光体ロールなどの像担持体に対し露光を行う露光器の光源に、レーザのように大きなスペースを必要としないＬＥＤ（Ｌｉｇｈｔ  Ｅｍｉｓｓｉｏｎ  Ｄｉｏｄｅ）を用いるものが提案されている（例えば、特許文献１参照。）。
【０００７】
図１は、露光器の光源にＬＥＤを用いている画像形成装置の、主要部である画像形成部の一例を示す図である。
【０００８】
図１に示す画像形成部は、感光体ロール１１、露光器１２、および現像器１３で構成されており、露光器１２は、感光体ロール１１の下方に備えられ、不図示の帯電器によって所定の電荷に帯電された感光体ロール表面にＬＥＤを光源とする光ビームを照射して静電潜像を形成する。
【０００９】
現像器１３は、現像ロール１３１、ハウジング１３３、ミキシングオーガ１３４、１３５、および層厚規制部材１３２で構成された、トナーと磁性キャリアとが混合された二成分現像剤を用いるものであり、図１には、この現像剤が収容されるハウジング１３３の内部に２本のミキシングオーガ１３４、１３５が隔壁１３３ａを挟んで配設されている様子が示されているほか、現像ロール１３１の半身がハウジング１３３の内部に入り込むように配設されている様子も示されている。
【００１０】
ミキシングオーガ１３４、１３５は、互いに逆方向に現像剤を搬送するように回転方向が決定されており、このように、トナーと磁性キャリアとを均一に混合することで、現像剤のトナー濃度、すなわちトナーの帯電量が一定に保たれている。
【００１１】
現像ロール１３１は、上述したように、ハウジング内にその半身が入り込むように配設され、ハウジング内の現像剤を表面に担持しながら矢印Ｂの向きに回転し、ハウジングの外部に現像剤を搬送することができるようになっている。
【００１２】
層厚規制部材１３２は、現像ロール１３１の表面にその先端が近接するようにハウジング１３３の端部に設けられ、現像ロール１３１の表面に保持された現像剤の層厚を規制するものである。
【００１３】
この現像器１３では、現像ロール１３１の表面に磁性キャリアが穂状に連なった、いわゆる磁気ブラシが形成され、それぞれの磁性キャリアには、トナーが静電的に付着している。矢印Ｂの向きに回転する現像ロール１３１は、矢印Ａ方向に回転する感光体ロール１１と近接する領域である現像領域２０を通過する際に、磁気ブラシでもって感光体ロール１１の表面を摺擦する。このとき、トナーが感光体ロール１１の表面に形成されている静電潜像に付着することで現像が行なわれる。
【特許文献１】特開２００１−０３８９５８号公報
【発明の開示】
【発明が解決しようとする課題】
【００１４】
ところが、上記画像形成装置では、画質の劣化が頻発するという現象が見られた。
【００１５】
本発明は、上記事情に鑑み、画質の劣化が抑制された画像形成装置を提供することを目的とする。
【００１６】
本発明は、上記事情に鑑み、提供することを目的とする。
【課題を解決するための手段】
【００１７】
上記目的を達成するための本発明の画像形成装置は、
回転する像担持体の表面に光ビームを照射することにより静電潜像を形成し、この静電潜像をトナーで現像してトナー像を形成し、このトナー像を最終的に記録媒体に転写および定着することによりこの記録媒体上に定着トナー像からなる画像を形成する画像形成装置において、
上記像担持体に近接した位置に配列されこの像担持体に向けて光ビームを出射する複数の光源とこの複数の光源から出射された光ビームを上記像担持体に集光する集光光学系とを具備する露光器と、
上記像担持体上に形成された静電潜像をトナーで現像する現像器とを備え、
この現像器が、
上記像担持体に近接して配備され、トナーを担持しながら回転しこのトナーをこの像担持体との間に形成された現像領域に搬送することによりこの像担持体上に形成された上記静電潜像をこのトナーで現像する現像ロールを備えた現像器であって、
この現像ロールが、上記現像領域において上記像担持体が移動する方向とは逆の方向に移動する向きに回転するものであることを特徴とする。
【００１８】
本発明の画像形成装置では、現像領域における、像担持体の回転方向と現像ロールの回転方向とが互いに逆向きとなるようになされている。これにより、本発明の画像形成装置では、現像領域においてこれらが同じ向きに回転される場合と比べ、像担持体に近接して配設されている露光器の集光光学系への浮遊物の付着が抑制される。つまり、現像領域において像担持体の回転方向と同じ方向に現像ロールが回転すると、これらがそれぞれ回転することにより発生する空気流は、現像領域で合流すると共に反射し、空気圧力が低い、現像領域よりも、像担持体の回転方向上流側に位置する露光器側に向かい、これにより、例えば現像領域付近に浮遊する浮遊物は露光器の集光光学系に付着し画像品質の低下が引き起こされる。そこで、本発明の画像形成装置では、現像領域における現像ロールの回転方向を像担持体の回転方向とは反対の方向に回転させることで空気流の流れを露光器が位置する方向とは別の方向に導き浮遊物が露光器側に向かうのを抑制している。したがって、本発明の画像形成装置によれば、画像品質の低下を抑制することができる。
【００１９】
ここで、上記露光器が、上記光源を内蔵すると共に上記集光光学系を支持する支持部材を備えたものであって、
この支持部材が、この支持部材の上記像担持体と対向する面の、この像担持体移動方向上流側と下流側との双方に立設し上記現像領域近傍に浮遊する浮遊物が上記集光光学系に付着することを防御する防御壁を備えたものであることが好ましい。
【００２０】
このようにすると、この防御壁に挟まれた領域における空気の流れを少なくし、空気密度を上げることで浮遊物のこの領域への侵入を抑制することができるため集光光学系への浮遊物の付着をさらに抑制することができる。
【００２１】
また、上記現像ロールが、上記像担持体の周速度よりも速い周速度をもって回転するものであることも好ましい態様である。
【００２２】
このようにすると、浮遊物を露光器側から引き離す空気の流れを強力なものとすることができる。
【００２３】
ここで、上記現像ロールが、上記トナーと磁性キャリアとから成る現像剤を担持し前記像担持体上の静電潜像を該現像剤中のトナーで現像するものであってもよい。
【００２４】
このように、現像ロールがトナーのみを担持する場合と比べ、現像動作において上記磁性キャリアが像担持体と衝突するために現像領域における浮遊物の量が増加する状況下にあっても画像品質の低下をさらに抑制することができる。
【００２５】
また、上記トナーが、重合法で生成されたものであってもよい。
【００２６】
このように、トナーが重合法以外の方法である例えば粉砕法で生成されている場合よりも、現像領域における浮遊物の量が増大する状況下にあっても画像品質の低下をさらに抑制することができる。
【００２７】
ここで、上記光源が、発光ダイオードであることも好ましい態様である。
【００２８】
また、上記露光器が、上記像担持体よりも下方に位置するものであってもよい。
【００２９】
このように、露光器に浮遊物が集まりやすい状況下にあっても画像品質の低下をさらに抑制することができる。
【発明の効果】
【００３０】
本発明の画像形成装置によれば、画質の劣化を抑制することができる。
【発明を実施するための最良の形態】
【００３１】
以下、本発明の実施形態について説明する。
【００３２】
図２は、本発明の画像形成装置の第１実施形態を示す図である。
【００３３】
図２に示す、本実施形態であるプリンタ１００は、フルカラーの印刷が可能となっており、以下、構成要素の末尾に付された符号Ｙ、Ｍ、Ｃ、およびＫは、それぞれイエロー、マゼンタ、シアン、および黒の画像形成用の構成要素であることを示している。
【００３４】
図２には、右上からＹ（イエロー）、Ｍ（マゼンタ）、Ｃ（シアン）、Ｋ（黒）の画像形成を担当する画像形成部１００Ｙ、１００Ｍ、１００Ｃ、１００Ｋ、後述する感光体ロールの表面に形成されたトナー像が一旦転写される中間転写ベルト３０、中間転写ベルト３０が予め決められたルートを循環するように設けられた張架ロール３１、中間転写ベルト３０に一旦転写したトナー像を用紙２００に二次転写する二次転写ロール３２、および、二次転写ロールに対向する対向ロール３３が示されている。
【００３５】
Ｙ、Ｍ、Ｃ、Ｋ各色の画像形成を担当する画像形成部１００Ｙ、１００Ｍ、１００Ｃ、１００Ｋには、それぞれ、感光体ロール１１Ｙ、１１Ｍ、１１Ｃ、１１Ｋ、帯電部１２Ｙ、１２Ｍ、１２Ｃ、１２Ｋ、露光部１３Ｙ、１３Ｍ、１３Ｃ、１３Ｋ、現像部１４Ｙ、１４Ｍ、１４Ｃ、１４Ｋ、一次転写ロール１５Ｙ、１５Ｍ、１５Ｃ、１５Ｋ、および、残留トナー処理ブラシ１６Ｙ、１６Ｍ、１６Ｃ、１６Ｋが備えられている。
【００３６】
このプリンタ１００における基本的な画像形成動作について説明する。
【００３７】
先ず、イエローの画像形成部１００Ｙによるトナー像形成が開始され、矢印Ａの向きに回転する感光体ロール１１Ｙの表面に、帯電部１２Ｙにより所定の電荷が付与される。次に、露光部１３Ｙにより感光体ロール１１Ｙの表面にイエロー画像に相当する露光光が照射され潜像が形成される。その潜像は矢印Ｃの向きに回転する現像ロール１４Ｙによりイエローのトナーで現像されて感光体ロール上にイエローのトナー像が形成される。そのトナー像は一次転写ロール１５Ｙにより中間転写ベルト３０に転写される。
【００３８】
中間転写ベルト３０は矢印Ｂ方向に循環移動しており、中間転写ベルト３０上に転写されたイエローのトナー像が次の色の画像形成部１００Ｍの一次転写ロール１５Ｍに到達するタイミングに合わせて、次の色のマゼンタのトナー像が一次転写ロール１５Ｍに到達するように、マゼンタの画像形成部１００Ｍによるトナー像形成が行なわれる。こうして形成されたマゼンタのトナー像は、一次転写ロール１５Ｍにおいて中間転写ベルト３０上のイエローのトナー像の上に重ねて転写される。
【００３９】
続いて、シアンおよび黒の画像形成部１００Ｃ、１００Ｋによるトナー像形成が上記と同様のタイミングで行われ、一次転写ロール１５Ｃ、１５Ｋにおいて中間転写ベルト３０のイエローおよびマゼンタのトナー像の上に順次重ねて転写される。
【００４０】
こうして、中間転写ベルト３０上に転写された多色トナー像は、二次転写ロール３２により用紙上に二次転写され、多色トナー像は用紙２００とともに中間転写ベルト３０から剥離され図示しない定着ロールにより用紙上に定着されることでカラー画像が形成される。尚、図２には、用紙２００が、矢印Ｄ方向に送紙されている様子が示されている。
【００４１】
一方、中間転写ベルト３０に転写がされずに各感光体ロールの表面に残留した残留トナーは、マイナスに帯電された残留トナー処理ブラシ１６Ｙ、１６Ｍ、１６Ｃ、１６Ｋによって改めてマイナスに帯電される。このようにマイナスに帯電された残留トナーは、今度はマイナスに帯電されている残留トナー処理ブラシとの間の電気的な反発力によってこの残留トナー処理ブラシから感光体ロール側にはき出されて、その後の露光器による露光に支障が出ないような層厚で再び感光体ロールに再付着される。残留トナーが再付着した感光体ロールでは、次の画像形成のために再び帯電が行なわれ露光器による潜像の書き込みが行なわれる。
【００４２】
露光器１３Ｙ、１３Ｍ、１３Ｃ、１３Ｋは、図３の手前側から向こう側に配列された複数のＬＥＤ光源と、このＬＥＤ光源の前面側に配設されＬＥＤ光源からの光を集光する、図３の手前側から向こう側に配列されたセルフォックレンズと、ＬＥＤ光源を内蔵すると共にセルフォックレンズを保持する筐体とからなり、図３には、この露光器１３Ｙが感光体ロール１１Ｙの下方に配設されている様子が示されている。尚、図３には、露光器１３Ｙが、感光体ロール１１Ｙと離隔した状態で示されているが、実際には、感光体ロールの表面から２ｍｍの位置に配設されている。
【００４３】
現像器１４Ｙ、１４Ｍ、１４Ｃ、１４Ｋでは、新たに書き込まれた潜像に利用される残留トナー以外の残留トナーの回収が、この新たな潜像の現像と同時に行なわれる。尚、このプリンタ１００では、直径３０ｍｍの感光体ロールが、周速度１００ｍｍ/ｓで回転するように設定されると共に−４５０Ｖに帯電される。また、現像器に備えられトナーと磁性キャリアとが混合された現像剤が担持される現像ロールは、直径１６ｍｍ、周速度２００ｍｍ/ｓ、また、この現像ロールには、−２５０ＶのＤＣ電圧と周波数６ｋＨｚ、Ｖｐｐ９００ＶのＡＣ電圧とが重畳されて印加され、現像ロールと感光体ロールとの間隔は４００μｍに設定されている。現像剤は、個数平均粒子径４５μｍのフェライトキャリア（磁性キャリア）と、乳化重合法により生成された個数平均粒子径６．５μｍのトナーとをトナー濃度が７重量％となるように混合したものである。
【００４４】
図３は、図２にも示す、プリンタの画像形成部を示す図である。
【００４５】
図３には、Ｙ（イエロー）の画像形成を担当する画像形成部１００Ｙが示されているが、Ｙ（イエロー）以外の画像形成を担当する画像形成部も、Ｙ（イエロー）の画像形成を担当する画像形成部と同じ構造を有しているので、以下では、この画像形成部１４Ｙを代表的に取りあげて説明する。
【００４６】
図３に示す画像形成部１００Ｙの現像装置１４Ｙは、現像ロール１４１Ｙ、ハウジング１４３Ｙ、ミキシングオーガ１４４Ｙ、１４５Ｙ、および層厚規制部材１４２Ｙで構成されており、図３には、トナーと磁性キャリアとからなる現像剤が収容されるハウジング１４３Ｙの内部に２本のミキシングオーガ１４４Ｙ、１４５Ｙが隔壁１４３１Ｙを挟んで配設されている様子が示されているほか、現像ロール１４１Ｙの半身がハウジング１４３Ｙの内部に入り込むように配設されている様子も示されている。尚、ミキシングオーガ１４４Ｙ、１４５Ｙについての説明は前述した説明と同じとなるので省略する。
【００４７】
ここで、現像ロール１４２Ｙは、上述したように、ハウジング内にその半身が入り込むように配設され、ハウジング内の現像剤を表面に担持しながら、現像が行われる現像領域２０において感光体ロール１１Ｙの回転方向Ａとは逆向きの矢印Ｃの向きに回転している。
【００４８】
本実施形態のプリンタ１００では、上述のように、現像領域２０における、感光体ロールと現像ロールの回転方向が互いに逆向きに設定されていることで、現像領域においてこれらが同じ向きに回転される場合と比べ、感光体ロールに近接して配設されている露光器のセルフォックレンズへのトナーなど、現像領域２０における現像動作などによって浮遊することとなった浮遊物の付着が抑制されている。つまり、現像領域において感光体ロールと同じ方向に現像ロールが回転すると、これらがそれぞれ回転することにより発生する空気流は、現像領域で合流すると共に反射し、空気圧力が低い、現像領域の、感光体ロールの回転方向上流側に位置する露光器側に向かう、これにより現像領域付近に浮遊する浮遊物は露光器のセルフォックレンズに付着し、画像品質の低下が引き起こされる。そこで、本実施形態のプリンタ１００では、現像領域における現像ロールの回転方向を感光体ロールの回転方向とは反対方向に回転させることで空気流の流れを図３に示す矢印Ｄ方向に導き、浮遊物が露光器側に向かうのを抑制している。
【００４９】
厚規制部材１４２Ｙおよび現像器１４Ｙのその他の機能についての説明は、前述した説明と同じとなるので省略する。
【００５０】
図４は、本実施形態のプリンタと、図１に示すような、現像領域における感光体ロールと現像ロールの回転方向が同じであるプリンタとにおける画像形成の結果を示す図である。
【００５１】
図４には、本実施形態のプリンタ１００を「逆回転」と称し、もう一方を「同回転」と称して、画像エリアカバレッジ５％のイメージをＡ４サイズに印字した枚数に対する画質欠陥の発生度合いが示されており、「同回転」では‘５０ｋｐｖ’以降において画質の低下が見られたのに対し、「逆回転」では画質低下は見られなかった。
【００５２】
次に、本発明の画像形成装置の第２実施形態について説明する。
【００５３】
図５は、本実施形態のプリンタの画像形成部を示す図である。尚、本実施形態のプリンタもフルカラーのプリントが可能であり、ここに示されているもので図３において示されているものと同じ種類のものには、図３において付されている符号と同じ符号が付されている。
【００５４】
図５に示す、プリンタ２００の、イエロー画像を担当する画像形成部２００Ｙと図３に示す第１実施形態のプリンタ１００との相違点は、露光器２３Ｙだけであるので、以下では、この露光器２３Ｙについて説明する。
【００５５】
この露光器２３Ｙは、第１実施形態の現像器１３Ｙと同様に、図５の手前側から向こう側に配列された複数のＬＥＤ光源と、このＬＥＤ光源の前面側に配設されＬＥＤ光源からの光を集光する、図５の手前側から向こう側に配列されたセルフォックレンズと、ＬＥＤ光源を内蔵すると共にセルフォックレンズを保持する筐体とからなるが、図５に示す露光器２３Ｙの筐体２３１Ｙの感光体ロール１１Ｙと対向する面の、感光体ロール１１Ｙの回転方向上流側には、上流壁２３１１Ｙ、下流側には下流壁２３１２Ｙが立設されている。
【００５６】
このプリンタ２００では、上流壁２３１１Ｙと下流壁２３１２によって挟まれた領域における空気の流れを少なくし、空気密度を上げることで現像領域からの浮遊物のセルフォックレンズ側への付着を防御しており、これにより、画像品質の低下を第１実施形態のプリンタ１００よりもさらに抑制することができる。
【００５７】
最後に、本発明の画像形成装置の第３実施形態について説明する。
【００５８】
図６は、本実施形態のプリンタの画像形成部を示す図である。尚、本実施形態のプリンタもフルカラーのプリントが可能であり、ここに示されているもので図３において示されているものと同じ種類のものには、図３において付されている符号と同じ符号が付されている。
【００５９】
図６に示す、プリンタ３００の、イエロー画像を担当する画像形成部３００Ｙと図３に示す第１実施形態のプリンタ１００との相違点は、露光器３３Ｙだけであるので、以下では、この露光器３３Ｙについて説明する。
【００６０】
この露光器３３Ｙは、第１実施形態の現像器１３Ｙと同様に、図６の手前側から向こう側に配列された複数のＬＥＤ光源と、このＬＥＤ光源の前面側に配設されＬＥＤ光源からの光を集光する、図６の手前側から向こう側に配列されたセルフォックレンズと、ＬＥＤ光源を内蔵すると共にセルフォックレンズを保持する筐体とからなるが、図６に示す露光器３３Ｙの筐体３３１Ｙの、感光体ロール１１Ｙの回転方向下流側の側面部には、導風部材３３２Ｙが付設されている。
【００６１】
この導風部材３３２Ｙは、図６に示されるように、筐体３３１Ｙと接する面とは反対の現像領域２０側の面にカーブした部分３３２１Ｙを有している。また、この導風部材３３２Ｙは、感光体ロール１１Ｙと対向する先端３３２２Ｙを、筐体の感光体ロールに対向する面３３１１Ｙよりも感光体ロール側に近接させて筐体３３１Ｙに付設されている。
【００６２】
このプリンタ３００では、カーブした部分３３２１Ｙを有する導風部材３３２Ｙの存在により、現像領域近傍の空気の流れは露光器３３Ｙと現像器１４Ｙのハウジングの間を通り抜け易くなり、さらに、先端３３２２Ｙの存在により、浮遊物のセルフォックレンズへの付着は妨げられるために、画像品質の低下を第１実施形態のプリンタ１００よりもさらに抑制することができる。
【００６３】
以上に説明した実施形態では、現像ロールにトナーと磁性キャリアとからなる現像剤を担持した例を挙げて説明したが、本発明はこれに限るものではなく、トナーのみを担持するものであってもよく、また、露光器が感光体ロールの上方に配設されているものであっても本発明の効果は減却されるものではない。
【００６４】
また、本実施形態では、露光器の光源としてＬＥＤを備えた場合を例に挙げて説明したが、本発明では露光器が像担持体に近接して配設されるものであればＥＬ（Ｅｌｅｃｔｒｏ  Ｌｕｍｉｎｅｓｃｅｎｃｅ）を用いるものであってもよく、トナーも重合法以外の例えば粉砕法で生成されているものであってもよい。
【図面の簡単な説明】
【００６５】
【図１】露光器の光源にＬＥＤを用いている画像形成装置の、主要部である画像形成部の一例を示す図である。
【図２】本発明の画像形成装置の第１実施形態を示す図である。
【図３】図２にも示す、プリンタの画像形成部を示す図である。
【図４】本実施形態のプリンタと、図１に示すような、現像領域における感光体ロールと現像ロールの回転方向が同じであるプリンタとにおける画像形成の結果を示す図である。
【図５】本実施形態のプリンタの画像形成部を示す図である。
【図６】本実施形態のプリンタの画像形成部を示す図である。
【符号の説明】
【００６６】
１００Ｙ、１００Ｍ、１００Ｃ、１００Ｋ、２００Ｙ、３００Ｙ    画像形成部
１１、１１Ｙ、１１Ｍ、１１Ｃ、１１Ｋ    感光体ロール
１２Ｙ、１２Ｍ、１２Ｃ、１２Ｋ    帯電部
１２、１３Ｙ、１３Ｍ、１３Ｃ、１３Ｋ、２３Ｙ、３３Ｙ    露光部
１３、１４Ｙ、１４Ｍ、１４Ｃ、１４Ｋ    現像部
１３１、１４１Ｙ、１４１Ｍ、１４１Ｃ、１４１Ｋ    現像ロール
１３２、１４２Ｙ    層厚規制部材
１３３、１４３Ｙ    ハウジング
１３３ａ、１４３１Ｙ    隔壁
１３４、１３５、１４４Ｙ、１４５Ｙ    ミキシングオーガ
１５Ｙ、１５Ｍ、１５Ｃ、１５Ｋ    一次転写ロール
１６Ｙ、１６Ｍ、１６Ｃ、１６Ｋ    残留トナー処理ブラシ
２０    現像領域
２３１Ｙ、３３１Ｙ    筐体
２３１１Ｙ    上流壁
２３１２Ｙ    下流壁
３０    中間転写ベルト
３１    張架ロール
３２    二次転写ロール
３３    対向ロール
３３１１Ｙ    面
３３２Ｙ    導風部材
３３２１Ｙ    部分
３３２２Ｙ    先端
１００    プリンタ
【図１】
2005077493.tif 000003
【図２】
2005077493.tif 000004
【図３】
2005077493.tif 000005
【図４】
2005077493.tif 000006
【図５】
2005077493.tif 000007
【図６】
2005077493.tif 000008